(57)【要約】【課題】重量感のあるスイングと、スピード感のあるスイングとを切り換えて行える上、心地良く快適にスイングできるゴルフスイング練習具を提供する。【解決手段】本発明のゴルフスイング練習具は、シャフト３の一端側に一方側グリップ１０が設けられるとともに、他端側に他方側グリップ２０が設けられる。一方側グリップ部分１が、他方側グリップ部分２に対し高重量に設定される。他方側グリップ部分２を固定した状態で一方側グリップ部分１を振動させた際の振動数を「Ｆ１（ｃｐｍ）」とし、一方側グリップ部分１を固定した状態で他方側グリップ部分２を振動させた際の振動数を「Ｆ２（ｃｐｍ）」としたとき、「Ｆ１＜Ｆ２」かつ「Ｆ１＝９０ｃｐｍ〜２２０ｃｐｍ」となるように調整する。【選択図】図１
2013070926.tif 000002
【特許請求の範囲】
【請求項１】
シャフトの一端側に一方側グリップが設けられるとともに、他端側に他方側グリップが設けられたゴルフスイング練習具であって、
前記一方側グリップを含み、かつそのグリップが設けられている部分を一方側グリップ部分とし、前記他方側グリップを含み、かつそのグリップが設けられている部分を他方側グリップ部分としたとき、
前記一方側グリップ部分を前記他方側グリップ部分に対し高重量に調整し、
前記他方側グリップ部分を固定した状態で前記一方側グリップ部分を振動させた際の振動数を「Ｆ１（ｃｐｍ）」とし、前記一方側グリップ部分を固定した状態で前記他方側グリップ部分を振動させた際の振動数を「Ｆ２（ｃｐｍ）」としたとき、
「Ｆ１＜Ｆ２」かつ「Ｆ１＝９０ｃｐｍ〜２２０ｃｐｍ」となるように調整したことを特徴とするゴルフスイング練習具。
【請求項２】
「Ｆ２＝２８０ｃｐｍ〜４００ｃｐｍ」となるように調整した請求項１に記載のゴルフスイング練習具。
【請求項３】
「Ｆ２−Ｆ１＝１１０ｃｐｍ〜２００ｃｐｍ」となるように調整した請求項１または２に記載のゴルフスイング練習具。
【請求項４】
前記一方側グリップ部分の重量を「Ｗ１（ｇ）」としたとき、「Ｗ１＝２００ｇ〜４２０ｇ」となるように調整した請求項１〜３のいずれか１項に記載のゴルフスイング練習具。
【請求項５】
前記他方側グリップ部分の重量を「Ｗ２（ｇ）」としたとき、「Ｗ２＝５０ｇ〜１５０ｇ」となるように調整した請求項１〜４のいずれか１項に記載のゴルフスイング練習具。
【請求項６】
前記一方側グリップ部分の重量を「Ｗ１（ｇ）」とし、前記他方側グリップ部分の重量を「Ｗ２（ｇ）」としたとき、「Ｗ１−Ｗ２＝２００ｇ〜３００ｇ」となるように調整した請求項１〜５のいずれか１項に記載のゴルフスイング練習具。
【請求項７】
前記一方側グリップ部分は、前記シャフトに連結された一方側連結部材と、その一方側連結部材に被覆された前記一方側グリップとを備え、
前記他方側グリップ部分は、前記シャフトに連結された他方側連結部材と、その他方側連結部材に被覆された前記他方側グリップとを備える請求項１〜６のいずれか１項に記載のゴルフスイング練習具。
【発明の詳細な説明】
【技術分野】
【０００１】
この発明は、例えばゴルフスイングにおいて、正確なフォーム、スイングスピードアップ、スイングパワーアップ等を体得するために用いられるゴルフスイング練習具に関する。
【背景技術】
【０００２】
ゴルフ用クラブを模した棒状のゴルフスイング練習具が周知である。このようなゴルフスイング練習具は、素振りを繰り返し行うことによって、正確なゴルフスイングを体得しつつ、スイングスピードやスイングパワー等を向上させるものである。
【０００３】
例えば下記特許文献１に示すゴルフスイング練習具は、硬質性のシャフトの両側端部にグリップが設けられるととに、重心位置がシャフトの中心から一方側のグリップに近い方に位置している。そして、練習目的に応じて、一方側のグリップを握ってスイングしたり、他方側のグリップを握ってスイングするようにしている。例えば重い方の端部（一方側のグリップ）を先端にして、軽い方の端部（他方側のグリップ）を握ってスイングした場合には、大きな遠心力が作用するため、重量感が得られ、パワーアップを図ることができるようになっている。逆に、軽い方のグリップを先端にして、重い方のグリップを握ってスイングした場合には、重さが感じられずにスピード感が得られ、スイングスピードのアップを図ることができるようになっている。
【０００４】
また下記特許文献２に示すゴルフスイング練習具は、可撓性のあるシャフトの両端部にグリップが設けられるとともに、一方側のグリップ部分が、他方側のグリップ部分よりも高重量に調整されている。そして上記と同様、練習目的に応じて、重い方のグリップを先端にして軽い方のグリップを握って重量感のあるスイングを行ったり、軽い方のグリップを先端にして重い方のグリップを握ってスピード感のあるスイングを行うようにしている。
【先行技術文献】
【特許文献】
【０００５】
【特許文献１】特開２０１０−１７８９４３号公報
【特許文献２】特許第３９１３７４０号
【発明の概要】
【発明が解決しようとする課題】
【０００６】
しかしながら、上記特許文献１に示す従来のゴルフスイング練習具は、シャフトとして撓みの生じない硬質性のものを使用しているため、特に、重い方のグリップを先端にして軽い方のグリップを握ってスイングした際に、適度なしなり（弾力性）を感じ取ることができず、違和感を抱き、振り心地に不満が残るという課題があった。
【０００７】
また特許文献２に示す従来のゴルフスイング練習具は、シャフトの柔軟性が高いため、例えばバックスイングのトップ位置や、フィニッシュ位置において、シャフトが大きく撓むため、違和感があり、上記と同様、振り心地に不満が残るという課題があった。
【０００８】
この発明は、上記の課題に鑑みてなされたものであり、必要に応じて、重量感のあるスイングと、スピード感のあるスイングとを切り換えて行える上さらに、心地良く快適にスイングすることができるゴルフスイング練習具を提供することを目的とする。
【課題を解決するための手段】
【０００９】
上記課題を解決するため、本発明は、以下の手段を備えるものである。
【００１０】
［１］シャフトの一端側に一方側グリップが設けられるとともに、他端側に他方側グリップが設けられたゴルフスイング練習具であって、
前記一方側グリップを含み、かつそのグリップが設けられている部分を一方側グリップ部分とし、前記他方側グリップを含み、かつそのグリップが設けられている部分を他方側グリップ部分としたとき、
前記一方側グリップ部分を前記他方側グリップ部分に対し高重量に調整し、
前記他方側グリップ部分を固定した状態で前記一方側グリップ部分を振動させた際の振動数を「Ｆ１（ｃｐｍ）」とし、前記一方側グリップ部分を固定した状態で前記他方側グリップ部分を振動させた際の振動数を「Ｆ２（ｃｐｍ）」としたとき、
「Ｆ１＜Ｆ２」かつ「Ｆ１＝９０ｃｐｍ〜２２０ｃｐｍ」となるように調整したことを特徴とするゴルフスイング練習具。
【００１１】
［２］「Ｆ２＝２８０ｃｐｍ〜４００ｃｐｍ」となるように調整した前項１に記載のゴルフスイング練習具。
【００１２】
［３］「Ｆ２−Ｆ１＝１１０ｃｐｍ〜２００ｃｐｍ」となるように調整した前項１または２に記載のゴルフスイング練習具。
【００１３】
［４］前記一方側グリップ部分の重量を「Ｗ１（ｇ）」としたとき、「Ｗ１＝２００ｇ〜４２０ｇ」となるように調整した前項１〜３のいずれか１項に記載のゴルフスイング練習具。
【００１４】
［５］前記他方側グリップ部分の重量を「Ｗ２（ｇ）」としたとき、「Ｗ２＝５０ｇ〜１５０ｇ」となるように調整した前項１〜４のいずれか１項に記載のゴルフスイング練習具。
【００１５】
［６］前記一方側グリップ部分の重量を「Ｗ１（ｇ）」とし、前記他方側グリップ部分の重量を「Ｗ２（ｇ）」としたとき、「Ｗ１−Ｗ２＝２００ｇ〜３００ｇ」となるように調整した前項１〜５のいずれか１項に記載のゴルフスイング練習具。
【００１６】
［７］前記一方側グリップ部分は、前記シャフトに連結された一方側連結部材と、その一方側連結部材に被覆された前記一方側グリップとを備え、
前記他方側グリップ部分は、前記シャフトに連結された他方側連結部材と、その他方側連結部材に被覆された前記他方側グリップとを備える前項１〜６のいずれか１項に記載のゴルフスイング練習具。
【発明の効果】
【００１７】
発明［１］のゴルフスイング練習具によれば、一方側グリップを先端にして、他方側グリップを握ってスイングした際には、先端側の重量が重いため、十分な重量感を得ることができる上さらに、一方側グリップ部分側の振動数を所定値に調整しているため、上記の重量感と共に、適度なしなりを体感することができ、心地良く快適にスイングすることができる。また他方側グリップを先端にして、一方側グリップを握ってスイングした際には、先端側が軽いため、重量感をほとんど感じることなく、高速でスピード感のあるスイングを行うことができる。
【００１８】
発明［２］のゴルフスイング練習具によれば、他方側グリップ部分側の振動数を所定値に調整しているため、一方側グリップを握ってスイングした際に、スピード感のある心地良いスイングを確実に行うことができる。
【００１９】
発明［３］のゴルフスイング練習具によれば、一方側グリップを先端にしたスイングと、他方側グリップを先端にしたスイングとの間で切り換えた際に、両スイング間の違いを顕著に感じ取ることができ、一層満足な振り心地を得ることができる。
【００２０】
発明［４］のゴルフスイング練習具によれば、一方側グリップを先端にしてスイングした際には、満足な重量感を的確に得ることができ、より一層心地良くスイングすることができる。
【００２１】
発明［５］のゴルフスイング練習具によれば、他方側グリップを先端にしてスイングした際には、より一層スピード感のあるスイングを行うことができる。
【００２２】
発明［６］のゴルフスイング練習具によれば、一方側グリップを先端にしたスイングと、他方側グリップを先端にしたスイングとの間で切り換えた際に、両スイング間での重量差の違いを顕著に感じ取ることができ、より一層快適なスイングを行うことができる。
【００２３】
発明［７］のゴルフスイング練習具によれば、シャフトとして、種々の径寸法のものを用いることができ、より的確なシャフトを選択できて、なお一層満足な振り心地を得ることができる。
【図面の簡単な説明】
【００２４】
【図１】図１はこの発明の実施形態であるゴルフスイング練習具を示す正面図である。
【図２】図２は実施形態のゴルフスイング練習具の一方側グリップ部分周辺を拡大して示す断面図である。
【図３】図３は実施形態のゴルフスイング練習具の他方側グリップ部分周辺を拡大して示す断面図である。
【図４】図４は実施形態のゴルフスイング練習具の他方側グリップ部分に設けられたスリーブを拡大して示す断面図である。
【発明を実施するための形態】
【００２５】
図１はこの発明の実施形態であるゴルフスイング練習具を示す正面図、図２はそのゴルフスイング練習具の一方側グリップ部分周辺を示す断面図、図３は他方側グリップ部分周辺を示す断面図である。
【００２６】
これらの図に示すように、本実施形態のゴルフスイング練習具は、シャフト３と、そのシャフト３の一端側に設けられた一方側グリップ部分１と、シャフト３の他端側に設けられた他方側グリップ部分２とを備えている。
【００２７】
シャフト３は、グラスファイバー製で中空パイプ形状を有している。本実施形態において、シャフト３としては、直径（外径）が９．０ｍｍ、長さが６１５ｍｍ、重さが３５ｇのものが用いられている。
【００２８】
図２に示すように、シャフト３の一端側に設けられる一方側グリップ部分１は、一方側グリップ１０および一方側連結部材１１によって構成されている。
【００２９】
一方側連結部材１１は、鉄製で中実な円柱形状を有している。この一方側連結部材１１におけるシャフト３の一端側に対応する端部には、軸心方向に沿うシャフト固定孔１２が形成されている。そしてそのシャフト固定孔１２内にシャフト３の一端部が挿入された状態で、シャフト３が一方側連結部材１１に互いの軸心を一致させるようにして固定されている。
【００３０】
さらに一方側連結部材１１の外周面を被覆するようにして、上記一方側グリップ１０が取り付けられている。
【００３１】
本実施形態において、一方側連結部材１１としては、直径（外径）が１４．８ｍｍ、長さが２５５ｍｍ、シャフト固定孔１２の軸心方向長さが３７ｍｍ、重さが３１０ｇのものが用いられている。
【００３２】
本実施形態において、一方側連結部材１１は、ゴルフスイング練習具の一方側における高重量化を図るための錘体（ウエイト）として機能する。
【００３３】
なお、本実施形態においては、シャフト３に固定された一方側連結部材１１に一方側グリップ１０を被覆するようにしているが、それだけに限られず、本発明においては、シャフト３の一端部に直接、一方側グリップ１０を被覆するとともに、シャフト３の一端部内にウエイトを嵌め込むようにしても良い。この場合には、シャフト３の一端部と、一方側グリップ１０と、ウエイトとによって一方側グリップ部分が形成されることになる。
【００３４】
すなわち、本発明において、一方側グリップ部分１は、ゴルフスイング練習具のうち、一方側グリップ１０を含み、かつ一方側グリップ１０が被覆されている部分によって構成されるものである。
【００３５】
図３に示すように、シャフト３の他端側に設けらる他方側グリップ部分２は、他方側グリップ２０および他方側連結部材２１によって構成されている。
【００３６】
他方側芯材２１は、鉄製の丸パイプ状の固定パイプ２２と、そのパイプ２２内に設けられるスリーブ２３とを有している。
【００３７】
スリーブ２３は、アルミニウム製のもので、有底筒状のスリーブ本体２４と、そのスリーブ本体２４の開口側端部外周に設けられたフランジ部２５とを備えている。このスリーブ本体２４が固定パイプ２２の端部に嵌め込まれて、フランジ部２５が固定パイプ２２の端面に係合した状態で、スリーブ２３が固定パイプ２２に互いの軸心を一致させるようにして固定されている。
【００３８】
そしてこの他方側連結部材２１におけるスリーブ２３の筒孔内にシャフト３の他端部が挿入された状態で、シャフト３がスリーブ２３に互いの軸心を一致させるようにして固定されている。
【００３９】
さらに他方側連結部材２１の外周面を被覆するようにして、上記他方側グリップ２０が取り付けられている。
【００４０】
本実施形態において、他方側連結部材２１における固定パイプ２２としては、直径（外径）が１４．８ｍｍ、長さが２５５ｍｍ、重さが３６ｇのものが用いられている。
【００４１】
またスリーブ２３としては、スリーブ本体２４の直径（外径）が１３．６ｍｍ、フランジ部２５を含む長さが３７．８ｍｍ、フランジ部２５の軸心方向長さが３．０ｍｍ、重さが８ｇのものが用いられている。さらにフランジ部２５の直径（外径）は、固定パイプ２２の外径とほぼ等しく設定されている。
【００４２】
なお本実施形態においては、シャフト３に固定された他方側連結部材２１に他方側グリップ２０を被覆するようにしているが、それだけに限られず、本発明においては、シャフト３の他端部に直接、他方側グリップ１０を被覆するようにしても良い。この場合、シャフト３の他端部と、他方側グリップ２０とによって他方側グリップ部分が形成されることになる。さらにこの場合、重量バランスを図るために、必要に応じて、シャフト３の他端部内にウエイトを取り付けるようにしても良い。
【００４３】
すなわち、本発明において、他方側グリップ部分２は、ゴルフスイング練習具のうち、他方側グリップ２０を含みかつ、他方側グリップ２０によって被覆されている部分によって構成されるものである。
【００４４】
本実施形態のゴルフスイング練習具は、既述したように一方側連結部材１１が他方側連結部材２１よりも高重量でウエイトとして機能するものであり、一方側グリップ部分１が他方側グリップ部分２に対し高重量に調整されている。
【００４５】
ここで本実施形態においては、必要に応じて、ゴルフスイング練習具の一方側グリップ部分１を「高重量側グリップ部分１」、他方側グリップ部分２を「低重量側グリップ部分２」と称し、さらに高重量側グリップ部分１に設けられる一方側グリップ１０を「高重量側グリップ１０」、低重量側グリップ部分２に設けられる他方側グリップ２０を「低重量側グリップ２０」と称する。
【００４６】
本実施形態のゴルフスイング練習具においては、高重量側グリップ部分１を先端にして、低重量側グリップ部分２を握ってスイングした際には、先端側の重量が重いため、大きな遠心力が作用し、使用者は重い重量（高重量感）を感じ取ることになる。従って使用者は、この高重量の負荷を伴うスイングを行うことによって、スイングパワーを鍛えてパワーアップを図ることができる。さらに重量感のあるスイングをゆっくり行うことによって、ストレッチ効果も得ることができる。
【００４７】
また低重量側グリップ部分２を先端にして、高重量側グリップ部分１を握ってスイングした際には、先端側が軽いため、遠心力が小さくなり、使用者は重量感をほとんど感じ取ることない。従って使用者は、スピード感を持って高速でスイングすることができ、スイングスピードアップを図ることができる。
【００４８】
ここで、本実施形態においては、必要に応じて、高重量側グリップ１０を先端にした重量感のあるスイングを「パワーアップスイング」と称し、低重量側グリップ２０を先端にしたスピード感のあるスイングを「スピードアップスイング」と称する。
【００４９】
ところで、ゴルフ用クラブのシャフトの硬さを示す指標として振動数があるが、本実施形態のゴルフスイング練習具においては、シャフト３の硬さ（振動数）に特徴を備えている。
【００５０】
ゴルフ用クラブの振動数は、グリップ側を固定し、先端側（ヘッド側）を手動で振動させて、１分あたりの振動回数（ｃｐｍ：cycle per minute ）を測定するものである。
【００５１】
本実施形態のゴルフスイング練習具においては、低重量側グリップ部分２を固定した状態で高重量側グリップ部分１を先端にして振動させる場合と、高重量側グリップ部分１を固定した状態で低重量側グリップ部分２を先端にして振動させる場合との２種類の振動数が存在することになる。
【００５２】
本実施形態においては、高重量側グリップ部分１を先端にして振動させた場合の振動数（高重量側グリップ部分１の振動数）を「Ｆ１」とし、低重量側グリップ部分２を先端にして振動させた場合の振動数（低重量側グリップ部分２の振動数）を「Ｆ２」としたとき、「Ｆ１＜Ｆ２」の関係が成立する。
【００５３】
そして本実施形態においては、高重量側グリップ部分１の振動数Ｆ１を９０〜２２０、好ましくは１１０〜１９０、より好ましくは１２５〜１５０に調整するのが良い。すなわちこの振動数Ｆ１が上記の特定範囲内にある場合には、パワーアップスイングを行った際に、十分な重量感、適度なしなり（弾力性）を確実に体感できて、心地良く快適にスイングすることができる。
【００５４】
換言すれば、振動数Ｆ１が小さ過ぎる場合には、パワーアップスイングを行うにあたって、アプローチの姿勢を取ると、シャフト３が垂れ下がるように地面側に反ってしまったり、さらにスイング中のしなりも大きくなり過ぎて、違和感を感じて、振り心地に不満が残るおそれがある。逆に振動数Ｆ１が大き過ぎる場合には、パワーアップスイングを行った際に、しなりが小さくなり過ぎて、そのしなりを感じ取ることができず、振り難く、振り心地に不満が残るおそれがある。
【００５５】
なお参考までに、ゴルフクラブにおけるシャフトの硬さを示すフレックス（Ｒ／Ｓ／Ｘ等）において、「Ｒ」シャフトは振動数が２５０ｃｐｍ程度、「Ｓ」シャフトは振動数が２６５ｃｐｍ程度、「Ｘ」シャフトは振動数が２８０ｃｐｍ程度となっている。
【００５６】
さらに本実施形態においては、低重量側グリップ部分２の振動数Ｆ２を２８０〜４００、好ましくは２８０〜３５０、より好ましくは２８０〜３１０に調整するのが良い。すなわちこの振動数Ｆ２が、上記の特定範囲内にある場合には、スピードアップスイングを行った際に、十分なスピード感を確実に体感でき、心地良く快適にスイングすることができる。
【００５７】
換言すれば振動数Ｆ２が小さ過ぎる場合には、スピードアップスイングを行った際に、シャフト３のしなりが大きくなり過ぎて、スピード感が出ず、満足な振り心地が得られなくなるおそれがある。また逆に振動数Ｆ２が大き過ぎる場合には、しなりが小さくなり過ぎて、満足な振り心地が得られないおそれがある。
【００５８】
また本実施形態においては、高重量側グリップ部分１の振動数Ｆ１と低重量側グリップ部分２の振動数Ｆ２との差（Ｆ２−Ｆ１）を１１０〜２００、好ましくは１３０〜１８０、より好ましくは１４０〜１６０に調整するのが良い。すなわちこの振動数差（Ｆ２−Ｆ１）が上記の特定範囲内にある場合には、パワーアップスイングから、スピードアップスイングに切り換えた際に、両スイング間の違いを明確に感じ取ることができ、良好なスピード感を得ることができ、心地良く快適にスイングすることができる。さらにスピードアップスイングから、パワーアップスイングに切り換えた際にも、両スイング間の違いを明確に感じ取ることができ、満足な重量感を感じ取ることができ、心地良く快適にスイングすることができる。
【００５９】
換言すると振動数差（Ｆ２−Ｆ１）が小さ過ぎる場合には、パワーアップスイングから、スピードアップスイングに切り換えた際に、両スイング間の違いを十分に感じ取ることができず、良好なスピード感を得ることができないおそれがある。さらにスピードアップスイングから、パワーアップスイングに切り換えた際にも、両スイング間の違いを十分に感じ取ることができず、満足な重量感を得るこことができないおそれがある。また逆に振動数差（Ｆ２−Ｆ１）が大き過ぎる場合には、振動数Ｆ１，Ｆ２のいずれかが、大きくなり過ぎたり、小さくなり過ぎたりして、上記したような不具合が生じるおそれがある。
【００６０】
本実施形態において、ゴルフスイング練習具における一方側（高重量側）グリップ部分１の重量Ｗ１、つまり一方側連結部材１１の重量と、一方側グリップ１０の重量との総和を２００ｇ〜４２０ｇ、好ましくは２５０ｇ〜４１０ｇ、より好ましくは３００ｇ〜４００ｇに調整するのが良い。すなわち高重量側グリップ部分１の重量Ｗ１が上記の特定範囲内にある場合には、パワーアップスイングを行った際に、満足な重量感が感じられ、スイングパワーを鍛え上げることができるとともに、ストレッチ効果も十分に得ることができる。
【００６１】
換言すれば、高重量側グリップ部分１の重量Ｗ１が軽過ぎる場合には、パワーアップスイングを行った際に、重量感が得られず、スイングパワーを鍛えることができないばかりか、ストレッチ効果も十分に得ることができなくなるおそれがある。逆に高重量側グリップ部分１の重量Ｗ１が重過ぎる場合には、パワーアップスイングを行うにあたって、アプローチの姿勢を取ると、シャフト３が垂れ下がるように地面側に反り、さらにスイングした際のしなりも大きくなり過ぎて、振り心地に不満が残るおそれがある。
【００６２】
なお参考までに、通常のゴルフ用クラブにおいて、ヘッド重量が一番軽いドライバーで約１９０ｇ程度である。さらにヘッド重量が一番重たいウェッジで約３００ｇ程度である。なおパターは約３６０ｇ程度である。
【００６３】
さらに本実施形態において、ゴルフスイング練習具における他方側グリップ部分（低重量側グリップ部分）２の重量Ｗ２、つまり他方側連結部材２１の重量と、他方側グリップ２０の重量との総和を５０〜１５０ｇ、好ましくは１００〜１５０ｇに調整するのが良い。すなわち低重量側グリップ部分２の重量Ｗ２が上記の特定範囲内に存在する場合には、スピードアップスイングを行った際に、適度なしなりおよび十分なスピード感が得られて、心地良く快適にスイングすることができる。  
【００６４】
換言すると低重量側グリップ部分２の重量Ｗ２が軽過ぎる場合には、スピードアップスイングを行った際に、軽過ぎる上、しなりも全く感じられず、振り難くなってしまうおそれがる。逆に低重量側グリップ部分２の重量Ｗ２が重過ぎる場合には、スピードアップスイングを行った際に、シャフト３のしなりが大きくなり過ぎて、スピード感が出ず振り難くなるおそれがある。
【００６５】
また本実施形態においては、高重量側グリップ部分１の重量Ｗ１と低重量側グリップ部分２の重量Ｗ２との差（Ｗ１−Ｗ２）を２００ｇ〜３００ｇ、好ましくは２２０ｇ〜２９０ｇ、より好ましくは２４０ｇ〜２８０ｇに調整するのが良い。すなわちこの重量差（Ｗ１−Ｗ２）が上記の特定範囲内にある場合には、パワーアップスイングから、スピードアップスイングに切り換えた際に、両スイング間の違いを十分に感じ取ることができ、十分なスピード感を得ることができ、さらにスピードアップスイングから、パワーアップスイングに切り換えた際にも、両スイング間の違いを十分に感じ取ることができ、満足な重量感を得ることができる。
【００６６】
換言すると、重量差（Ｗ１−Ｗ２）が小さ過ぎる場合には、パワーアップスイングと、スピードアップスイングとの間で切り換えを行った際に、両スイング間の違いを十分に感じ取ることができず、満足な振り心地が得られないおそれがある。また逆に重量差（Ｗ１−Ｗ２）が大き過ぎる場合には、両グリップ部分１，２の重量Ｗ１，Ｗ２のいずれかが、大きくなり過ぎたり、小さくなり過ぎたりして、上記したような不具合が生じるおそれがある。
【００６７】
本実施形態のゴルフスイング練習具においては、心地良く快適なスイングを行えるように、全長を４０×２５．４ｍｍ（４０インチ）〜４６×２５．４ｍｍ（４６インチ）に設定するのが良い。
【００６８】
以上のように構成された本実施形態のゴルフスイング練習具において、パワーアップスイングを行う場合、使用者は、既述したように十分な重量感、適度なしなりを確実に体感でき、パワーアップ効果、ストレッチ効果を確実に得ることができる。さらにパワーアップスイングに基づいて、使用者は、正確なリズムやテンポ、十分なタメをチェックできて、理想的なフォーム（ゴルフスイング）を短期間で簡単かつ自然に体得することができる。
【００６９】
またスピードアップスイングを行う場合には、使用者は、十分なスピード感を確実に体感でき、スイングスピードアップ効果を確実に得ることができる。さらにスピードアップスイングに基づいて、使用者は、正確なリリースポイント、バックスイング時のコッキングをチェックでき、この点からも、理想的なフォームを短期間で簡単かつ自然に体得することができる。
【００７０】
また上記実施形態においては、両側グリップ部分１，２を、シャフト３に連結した連結部材１１，２１と、各連結部材１１，２１を被覆するように取り付けたグリップ１０，２０とで構成しているため、シャフトに直接、グリップを被覆してグリップ部分を構成する場合と比較して、シャフト３の径寸法が制約されず、様々な径寸法のシャフト３を用いることができる。このため上記実施形態のように、径寸法が小さく細いシャフト３を用いることができ、スイング時において所望のしなり等を確実に得ることができ、より一層心地良く快適にスイングすることができる。
【００７１】
既述したように、本発明においては、シャフトに直接、グリップを被覆してグリップ部分を構成するようにしても良いし、一方側および他方側のうち、いずれか一方のグリップ部分を、連結部材およびグリップにより構成するとともに、残り一方のグリップ部分を、シャフトに直接グリップを被覆して構成するようにしても良い。
【００７２】
なお本実施形態のゴルフスイング練習具においては、パワーアップスイングを行った後、スピードアップスイングを行うことにより、筋肉の錯覚によって、より効果的な練習を行うことができる。
【００７３】
＜実験例＞
次に本発明に関連したゴルフスイング練習具の優位性を実証するための実験例について説明する。
【００７４】
【表１】
2013070926.tif 000003
【００７５】
以下に説明するように複数種のゴルフスイング練習具を準備した。まず、硬さが柔らかいシャフト３の一端側に、上記図１〜３に示す実施形態と同様に、一方側連結部材１１および一方側グリップ１０を取り付けて、一端側グリップ部分１を形成するとともに、他端側に他方側連結部材２１および他方側グリップ２０を取り付けて、他端側グリップ部分２を形成した。このとき、シャフト３として長さが６１５ｍｍ、重さが３０ｇのものを使用した。さらに一方側連結部材１１として１００ｇのもの、一方側グリップ１０として５０ｇのものを使用し、一方側グリップ部分（高重量側グリップ部分）１の重量Ｗ１、つまりグリップ１０を含む一方側連結部材１１の重量Ｗ１を１５０ｇに調整した。さらに他方側連結部材２１として５０ｇのもの、他方側グリップ２０として５０ｇのものを使用し、他方側グリップ部分（低重量側グリップ部分）２の重量Ｗ２、つまりグリップ２０を含む他方側連結部材２１の重量Ｗ２を１００ｇに調整した。そしてこのゴルフスイング練習具における高重量側グリップ部分１の振動数Ｆ１を測定した。すなわち、低重量側グリップ部分２を固定した状態で、高重量側グリップ部分１を振動させて、そのときの１分間あたりの振動回数（ｃｐｍ）を測定した。その結果、表１の［シャフト硬さ「柔」］の項目の［Ｆ１］の欄に示すように、振動数は１７０ｃｐｍであった。
【００７６】
さらにこのゴルフスイング練習具を用いて、実際にパワーアップスイングを行った。つまり、高重量側グリップ部分１を先端にして、低重量側グリップ部分２を握ってゴルフスイングを行った。そして、その際の「振りやすさ（振り心地）」を、「×（違和感があり振り難いもの）」「△（ある程度快適にスイングできたもの」「○（違和感がなく、快適にスイングできたもの」「◎（違和感が全くなく、最適な振り心地が得られたもの）」の４段階で評価した。その結果、表１の［シャフト硬さ「柔」］の項目の［評価］の欄に示すように「△」であった。
【００７７】
なお言うまでもなく、表１において、［Ｗ１］は高重量側グリップ部分１の重量（ｇ）を示し、［Ｆ１］は高重量側グリップ部分の振動数（ｃｐｍ）を示している。
【００７８】
次に上記と同様、柔らかいシャフト３のままで、高重量側グリップ部分１の重量Ｗ１（ｇ）を５０ｇずつ４５０ｇまで増加させるように順次変更していき、上記と同様に、各ゴルフスイング練習具毎にそれぞれ高重量側グリップ部分１の振動数Ｆ１を測定した。その結果を表１の［シャフト硬さ「柔」］の項目のＦ１の欄に示す。
【００７９】
なおグリップ１０の重量は上記と同様全て５０ｇである。さらに低重量側グリップ部分２の重量Ｗ２は上記と同様全て１００ｇである。さらに他の構成も上記と同様である。
【００８０】
また上記各ゴルフスイング練習具を用いて、実際にパワーアップスイングを行い、そのときの「振りやすさ」を、上記と同様に「×」「△」「○」「◎」の４段階でそれぞれ評価した。その結果を、表１の［シャフト硬さ「柔」］の項目の［評価］の欄に示す。
【００８１】
また硬さが硬くもなく柔らかくもない中くらいのシャフト３を用いて、上記と同様に、高重量側グリップ部分１の重量（ｇ）を１５０ｇから５０ｇずつ４５０ｇまで増加させるように順次変更していき、上記と同様に、各ゴルフスイング練習具毎に高重量側グリップ部分１の振動数Ｆ１を測定した。その結果を、表１の［シャフト硬さ「中」］の項目の［Ｆ１］の欄に示す。
【００８２】
なおグリップ１０の重量は上記と同様全て５０ｇである。さらに低重量側グリップ部分２の重量Ｗ２は上記と同様全て１００ｇである。さらに他の構成も上記と同様である。
【００８３】
またシャフト硬さが中くらいの上記各ゴルフスイング練習具を用いて、実際にパワーアップスイングを行い、そのときの「振りやすさ」を、上記と同様に「×」「△」「○」「◎」の４段階で評価した。その結果を、表１の［シャフト硬さ「中」］の項目の［評価］の欄に示す。
【００８４】
また硬さが硬いシャフト３を用いて、上記と同様に、高重量側グリップ部分１の重量（ｇ）を１５０ｇから５０ｇずつ４５０ｇまで増加させるように順次変更していき、上記と同様に、各ゴルフスイング練習具毎に高重量側グリップ部分１の振動数Ｆ１を測定した。その結果を、表１の［シャフト硬さ「硬」］の項目の［Ｆ１］の欄に示す。
【００８５】
なおグリップ１０の重量は上記と同様全て５０ｇである。さらに低重量側グリップ部分２の重量Ｗ２は上記と同様全て１００ｇである。さらに他の構成も上記と同様である。
【００８６】
またシャフト硬さが硬い各ゴルフスイング練習具を用いて、実際にパワーアップスイングを行い、そのときの「振りやすさ」を、上記と同様に「×」「△」「○」「◎」の４段階で評価した。その結果を、表１の［シャフト硬さ「硬」］の項目の［評価］の欄に示す。
【００８７】
表１から明らかなように、高重量側グリップ部分１の振動数Ｆ１が９０〜２２０のゴルフスイング練習具は、ある程度の振り心地が得られるものと思われる。さらに振動数Ｆ１が１１０〜１９０のゴルフスイング練習具は、良好な振り心地が得られるものと思われる。さらに振動数Ｆ１が１２５〜１５０のゴルフスイング練習具は、最適な振り心地が得られるものと思われる。
【００８８】
さらに表１から判るように、高重量側グリップ部分１の重量Ｗ１が２００ｇ〜４２０ｇのゴルフスイング練習具は、ある程度の振り心地が得られるものと思われる。さらに重量Ｗ１が２５０ｇ〜４１０ｇのゴルフスイング練習具は、良好な振り心地が得られるものと思われる。さらに重量Ｗ１が３００ｇ〜４００ｇのゴルフスイング練習具は、最適な振り心地が得られるものと思われる。
【００８９】
【表２】
2013070926.tif 000004
【００９０】
硬さが柔らかいシャフト３の一端側に、上記実施形態と同様に、一方側連結部材１１および一方側グリップ１０を取り付けて、一方側グリップ部分１を形成するとともに、他端側に他方側連結部材２１および他方側グリップ２０を取り付けて、他方側グリップ部分２を形成した。このとき、一方側連結部材１１として３００ｇのもの、一方側グリップ１０として５０ｇのものを使用し、一方側グリップ部分（高重量側グリップ部分）１の重量Ｗ１、つまり一方側グリップ１０を含めた一方側連結部材１１の重量を３５０ｇに調整した。さらに他方側連結部材２１として５０ｇのもの、他方側グリップ２０として５０ｇのものを使用し、低重量側グリップ部分２の重量Ｗ２、つまりグリップ２０を含めた他方側連結部材２１の重量を１００ｇに調整した。他の構成は上記と同様にした。
【００９１】
そしてこのゴルフスイング練習具における低重量側グリップ部分２の振動数Ｆ２を測定した。すなわち、高重量側グリップ部分１を固定した状態で、低重量側グリップ部分２を振動させて、そのときの１分間あたりの振動回数（ｃｐｍ）を測定した。その結果、表２の［シャフト硬さ「柔」］の項目の［Ｆ２］の欄に示すように、振動数が２１０ｃｐｍであった。
【００９２】
さらにこのゴルフスイング練習具を用いて、実際にスピードアップスイングを行った。つまり、低重量側グリップ部分２を先端にして、高重量側グリップ部分１を握ってゴルフスイングを行った。そして、その際の「振りやすさ（振り心地）」を、上記と同様「×」「△」「○」「◎」の４段階で評価した。その結果、表２の［シャフト硬さ「柔」］の項目の［評価］の欄に示すように、「×」であった。
【００９３】
なお言うまでもなく、表２において、［Ｗ２］は低重量側グリップ部分２の重量（ｇ）を示し、［Ｆ２］は低重量側グリップ部分２の振動数（ｃｐｍ）を示している。
【００９４】
次に上記と同様、柔らかいシャフト３のままで、低重量側グリップ部分２の重量（ｇ）を１５０ｇに増加させたゴルフスイング練習具を作製した。そしてこのゴルフスイング練習具において、上記と同様に、低重量側グリップ部分２の振動数Ｆ２を測定した。その結果を表２に示す。
【００９５】
なおグリップ２０の重量は上記と同様５０ｇである。さらに高重量側グリップ部分１の重量Ｗ１は上記と同様３５０ｇである。さらに他の構成も上記と同様である。
【００９６】
またこのゴルフスイング練習具を用いて、実際にスピードアップスイングを行い、そのときの「振りやすさ」を、上記と同様に「×」「△」「○」「◎」の４段階で評価した。その結果を表１に示す。
【００９７】
また硬さが硬くもなく柔らかくもない中くらいのシャフト３を用いて、上記と同様に、低重量側グリップ部分２の重量（ｇ）が１００ｇと、１５０ｇとの２種類のゴルフスイング練習具を作製した。そして各ゴルフスイング練習具において、上記と同様に、低重量側グリップ部分２の振動数Ｆ２を測定した。その結果を、表２の［シャフト硬さ「中」］の項目の［Ｆ２］の欄に示す。
【００９８】
なおグリップ２０の重量は上記と同様５０ｇである。さらに高重量側グリップ部分１の重量Ｗ１は上記と同様全て３５０ｇである。さらに他の構成も上記と同様である。
【００９９】
またシャフト硬さが中くらいの上記各ゴルフスイング練習具を用いて、実際にスピードアップスイングを行い、そのときの「振りやすさ」を、上記と同様に「×」「△」「○」「◎」の４段階で評価した。その結果を、表２の［シャフト硬さ「中」］の項目の［評価］の欄に示す。
【０１００】
また硬さが硬いシャフト３を用いて、上記と同様に、低重量側グリップ部分２の重量Ｗ２（ｇ）が１００ｇと、１５０ｇとの２種類のゴルフスイング練習具を作製した。そして各ゴルフスイング練習具において、上記同様に、低重量側グリップ部分２の振動数Ｆ２を測定した。その結果を、表２の［シャフト硬さ「硬」］の項目の［Ｆ２］の欄に示す。
【０１０１】
なおグリップ２０の重量は上記と同様５０ｇである。さらに高重量側グリップ部分１の重量Ｗ１は上記と同様３５０ｇである。さらに他の構成も上記と同様である。
【０１０２】
またシャフト硬さが硬い上記各ゴルフスイング練習具を用いて、実際にスピードアップスイングを行い、そのときの「振りやすさ」を、上記と同様に「×」「△」「○」「◎」の４段階で評価した。その結果を、表２の［シャフト硬さ「硬」］の項目の［評価］の欄に示す。
【０１０３】
表２から明らかなように、低重量側グリップ部分２の振動数Ｆ２が２８０〜４００のゴルフスイング練習具は、ある程度の振り心地が得られるものと思われる。さらに振動数Ｆ２が２８０〜３５０のゴルフスイング練習具は、良好な振り心地が得られるものと思われる。さらに振動数Ｆ２が２８０〜３１０のゴルフスイング練習具は、最適な振り心地が得られるものと思われる。
【０１０４】
さらに表２から判るように、低重量側グリップ部分２の重量Ｗ２が５０〜１５０ｇのゴルフスイング練習具は、ある程度の振り心地が得られるものと思われる。さらに重量Ｗ２が１００〜１５０ｇのゴルフスイング練習具は、最適な振り心地が得られるものと思われる。
【産業上の利用可能性】
【０１０５】
この発明のゴルフスイング練習具は、ゴルフスイングの練習用として用いることができる。
【符号の説明】
【０１０６】
１：一方側グリップ部分（高重量側グリップ部分）
１０：一方側グリップ（高重量側グリップ）
１１：一方側連結部材（高重量側連結部材）
２：他方側グリップ部分（低重量側グリップ部分）
２０：他方側グリップ（低重量側グリップ）
２１：他方側連結部材（低重量側連結部材）
３：シャフト
Ｗ１：高重量側グリップ部分の重量
Ｗ２：低重量側グリップ部分の重量
Ｆ１：高重量側グリップ部分の振動数
Ｆ２：低重量側グリップ部分の振動数
【図１】
2013070926.tif 000005
【図２】
2013070926.tif 000006
【図３】
2013070926.tif 000007
【図４】
2013070926.tif 000008